(57)【特許請求の範囲】
【請求項１】
中底の親指付け根部からその前方及び小指付け根部からその前方を切除して段落ちさせるとともに、踵部に通孔を形成又は踵部の前側を左右方向に切断して段落ちさせ、前記中底の上側に、緩衝可能な弾力性を有するシート体で形成した内底形中敷を備えたことを特徴とする足痛解消・軽減・トラブル解消靴。
【請求項２】
本底の上面に、前記中底及び内底形中敷を収容する収容凹部を形成してなる請求項１記載の足痛解消・軽減・トラブル解消靴。
【請求項３】
前記中底の親指付け根部及び小指付け根部と踵部との間の上面に凸部を形成してなる請求項１又は２記載の足痛解消・軽減・トラブル解消靴。
【請求項４】
前記中底が本底から取り外し可能なものであり、これら中底及び本底の間の足の外側部位の下方に補正パッドを挿入してなる請求項１〜３の何れか１項に記載の足痛解消・軽減・トラブル解消靴。
【請求項５】
着用状況に適合させるように前記内底形中敷の上側に重ねて靴合わせ用の調節を行う、緩衝可能な弾力性を有するシート体で形成した内底形弾性パッドを備えてなる請求項１〜４の何れか１項に記載の足痛解消・軽減・トラブル解消靴。
【請求項６】
ゼリー状薄膜体を上下の伸縮性シート材で挟んでなる内底形シート体を前記内底形弾性パッドの下側に挿入してなる請求項５記載の足痛解消・軽減・トラブル解消靴。
【請求項７】
前記内底形中敷又は内底形弾性パッドを、多数の通孔が全面にわたって形成された緩衝可能な弾力性を有して足裏面の接触圧により塑性変形しないシート体と、このシート体の上面を被う伸縮性シート材とにより構成してなる請求項１又は５記載の足痛解消・軽減・トラブル解消靴。
【請求項８】
足の甲が当たる部分の内側に、内表面に多数の凹部を形成した弾性パッドを取り付けてなる請求項１〜７の何れか１項に記載の足痛解消・軽減・トラブル解消靴。
【請求項９】
靴に挿入して使用する中敷であって、靴の中底と同等の材料又はゴム材料等の踏圧が掛かっても変形しにくい材料からなる基体の親指付け根部からその前方及び小指付け根部からその前方を切除して段落ちさせるとともに、踵部に通孔を形成又は踵部の前側を左右方向に切断して段落ちさせ、前記基体の上側に、緩衝可能な弾力性を有するシート体で形成した内底形弾性パッドを備えたことを特徴とする足痛解消・軽減・トラブル解消中敷。
【請求項１０】
前記基体の親指付け根部及び小指付け根部と踵部との間の上面に凸部を形成してなる請求項９記載の足痛解消・軽減・トラブル解消中敷。
【請求項１１】
前記基体の下側の足の外側部位の下方に補正パッドを備えてなる請求項９又は１０記載の足痛解消・軽減・トラブル解消中敷。
【請求項１２】
着用状況に適合させるように前記内底形弾性パッドの上側に重ねて靴合わせ用の調節を行う、緩衝可能な弾力性を有するシート体で形成した内底形弾性パッドを備えてなる請求項９〜１１の何れか１項に記載の足痛解消・軽減・トラブル解消中敷。
【請求項１３】
ゼリー状薄膜体を上下の伸縮性シート材で挟んでなる内底形シート体を前記内底形弾性パッドの下側に挿入してなる請求項１２記載の足痛解消・軽減・トラブル解消中敷。
【請求項１４】
前記内底形弾性パッド又はその上に重ねて靴合わせ用の調節を行う前記内底形弾性パッドを、多数の通孔が全面にわたって形成された緩衝可能な弾力性を有して足裏面の接触圧により塑性変形しないシート体と、このシート体の上面を被う伸縮性シート材とにより構成してなる請求項９又は１２記載の足痛解消・軽減・トラブル解消中敷。
【発明の詳細な説明】
【技術分野】
【０００１】
本発明は、足の痛みを解消又は軽減することができると共に、外反母趾や扁平足等の障害を予防することができる足痛解消・軽減・トラブル解消整形靴及び一般靴並びに靴に挿入して使用する足痛解消・軽減・トラブル解消中敷に関するものである。
【背景技術】
【０００２】
足裏には大切な３つのアーチ、すなわち、中足骨部の横アーチ、踵骨内側から舟状骨、第１楔状骨、第１中足骨へと伸びて土踏まずを形成する内側縦アーチ、及び、踵骨外側から立方骨、第４、５中足骨へと伸びる外側縦アーチがある。そして、これらのアーチにより歩行時等において体重が支えられ、衝撃が吸収される。したがって、前記３つのアーチを形成する足の骨格が崩れると、足、膝、腰、背中、肩又は頭等、体の各部に歪みや痛みが生じたり、体全体に障害が生じる場合がある。
【０００３】
このような足裏のアーチをサポートする機能を持たせた、各個人の足に合わせて製作する中敷として、採型用スポンジにより足の陰性モデルを形成した後、該陰性モデルに石膏を流し込んで陽性モデルを製作し、該陽性モデルに基づいて靴の中敷を製作するもの、採型用スポンジにより足の陰性モデルを形成し、該陰性モデルを三次元スキャナを用いて測定することにより採寸データを得、該採寸データに基づいて靴の中敷を製作するもの（特許文献１参照）、熱可塑性材料を用いて踏圧によって靴の中敷を成型するもの（特許文献２参照。）がある。
また、中敷本体板の表面に駒状面ファスナを貼り付け、裏面（下面）にパイル状面ファスナが接着されている第１ないし第３のパッドを前記３つのアーチに対応させて中敷本体板上に取り付け、その上から、裏面にパイル状面ファスナが接着されている被覆シートを中敷本体板表面に貼り付けることにより、靴の中敷を構成するもの（特許文献３参照。）、足底の疼痛部位に掛かる圧力を他へ逃がすために疼痛部位の近位（踵寄り）を少し挙上するように、足底の形状に合わせた形状・厚みのパットを足底板のフットベットに貼り付け、試し履きしながらパットの形状及び厚み並びに位置を決定するもの（例えば、特許文献４参照。）もある。
【０００４】
さらに、足裏のアーチをサポートする機能を持たせた、各個人の足に合わせて製作する靴として、足骨の中足骨のアーチに対応した凹凸部が形成された足底板を中底自体、中底と本底との間又は中底の上面に配置したもの（特許文献５参照）、通常よりｌｃｍ（２サイズ）程度大きいサイズの靴を用い、緩衝可能な弾力性を有すると共に足裏面の接触圧により塑性変形する発泡合成樹脂製のシート状素材からなる正方形状の小型シートを着用者の足裏に窪む土踏まずの深さに応じて所要枚数重ね、これを靴の内底の土踏まず対応部分に接着等で固定し、これに重ねて前記シート状素材で形成した靴の内底形シートを装着し、前記小型シートによる上方突出部分により靴の内部で足が前後方向へずれ動くことを抑制し、試し履きを繰り返しながら前記小型シート及び内底形シートの枚数を調整して着用者の足に整合させるもの（特許文献６参照。）がある。
【先行技術文献】
【特許文献】
【０００５】
【特許文献１】特開２００４−２７５６１１号公報
【特許文献２】特開平０９−１４９８０２号公報
【特許文献３】特開２００３−８８４０５号公報
【特許文献４】特開平１１−２１６００１号公報
【特許文献５】登録実用新案第３０５５３６８号公報
【特許文献６】特許第３０５６２１６号公報
【発明の概要】
【発明が解決しようとする課題】
【０００６】
緩い靴を履いた際には、靴の中で足が前に滑って爪先が当たるとともに踵が緩くなって脱げやすく、却って足が痛くなったり歩きにくくなるため、従来の靴は、親指付け根部と小指付け根部とを締めるように作られており、このような靴は、全体重が掛かってくる足を、言わば鋳型に入れるような作りとなっている。
また、上述の痛みや障害につながるデリケートな足に靴を適合させる靴合わせは非常に重要であり、服飾品として人が身につけるもののうち、ミリ単位の精度が要求されるのは靴しかないと言われている。
しかしながら、大きさが変わらない靴に対して、人の足の大きさは、様々な条件によって刻々と変化するものであり、例えば長時間の立ち仕事やデスクワーク等で同じ姿勢を維持した場合、運動不足、睡眠不足、エアコンによる冷え及びストレス等の生活環境による場合等には足がむくんで大きくなると共に、温度や湿度の高い夏は足が大きくなり、逆に冬は足が小さくなるという季節による大きさの変化もある。
よって、歩行時における足の痛みを解消又は軽減することができるように着用状況に合わせた調節を行うことができると共に、このような調節が容易な靴が求められている。
【０００７】
特許文献１及び２の中敷では、中敷に足型を成型しているため足裏の大切な３つのアーチを支持することはできるが、三次元スキャナや電気オーブン等が必要になることから該装置を導入するためのコストが掛かると共に製作時間が長くなり、靴の外で中敷に足型を成型しているため、このような中敷を靴に挿入して実際に使用した際に足に適合しない場合がある。
また、特許文献３の中敷では、第１ないし第３のパッドを着用者に合うように選択又は製作することが困難であると共に、それらを前記３つのアーチの位置に合わせて適切な位置に配置するためには非常に手間が掛かる。
さらに、特許文献４の中敷では、足裏の大切な３つのアーチの全てをサポートする機能はなく、パットの形状及び厚みを着用者に最も適合するように選択又は製作することが困難であると共に、着用者にとって最適な位置に配置するためには非常に手間が掛かる。
【０００８】
さらにまた、特許文献１〜４のいずれにおいても、上述のように足の大きさが変化することと共に靴は親指付け根部と小指付け根部とを締めるように作られていることから、例えば足がむくんで大きくなった際に、元々親指付け根部と小指付け根部とを締めるように比較的窮屈に作られている靴がさらに窮屈になって足が圧迫されて痛みが発生し、このような足の大きさの変化に応じて足の痛みを解消又は軽減するような適切な調節を行うことができない。
また、特許文献５の靴では、足骨の中足骨のアーチに対応した凹凸部が形成された足底板により足裏の大切な３つのアーチを支持することはできるが、特許文献１〜４の中敷と同様に、足の大きさの変化に応じて足の痛みを解消又は軽減するような適切な調節を行うことができない。
【０００９】
これらに対して、特許文献６の靴は、通常より大きいサイズの靴を用い、緩衝可能な弾力性を有すると共に足裏面の接触圧により塑性変形する発泡合成樹脂製の小型シート及び内底形シートの枚数を調整して着用者の足に整合させる構成であるため、外反母趾等の疾患があっても圧迫による痛みの発生を抑制することができると共に、足の大きさの変化に応じて前記小型シート及び内底形シートの枚数を調整することにより、足の痛みを解消又は軽減するような調節を行うことができるという特徴がある。
【００１０】
しかしながら、特許文献６の靴は、着用者の足裏に窪む土踏まずの深さに応じて小型シートを所要枚数重ねていることから、内側縦アーチ及び外側縦アーチをサポートする機能は備えているが、横アーチをサポートすることができないため、現代人の持病とも言われる外反母趾の原因となる開帳足（開張足）の進行を防止する機能を備えていない。
また、着用者の足裏に窪む土踏まずの深さに応じて小型シートを所要枚数重ねた上方突出部分により靴の内部で足が前後方向へずれ動くことを抑制する構成であることから、歩行時に足の裏が靴の内部で前後方向に完全に滑り動かなくなるまで、２日間程度の試し履きを繰り返しながら小型シート及び内底形シートの枚数調整を行う必要があるため、このような調整に手間が掛かると共に、小型シートの枚数調整を行う際には内底形シートを外す必要があるため、さらに手間が掛かる。
よって、特許文献６の靴は、上述の特徴を有するものであるが、改良の余地がある。
【００１１】
そこで本発明が前述の状況に鑑み、解決しようとするところは、足を締め付けないようにして歩行時における足の痛みを解消又は軽減することができ、着用状況に合わせた調節を比較的容易に行うことができる構成でありながら、足裏の大切な３つのアーチをサポートする機能を備えると共に、靴の内部で足がずれ動くことを抑制することができる足痛解消・軽減・トラブル解消靴及び靴に挿入して使用する足痛解消・軽減・トラブル解消中敷を提供する点にある。
【課題を解決するための手段】
【００１２】
本発明に係る足痛解消・軽減・トラブル解消靴は、前記課題解決のために、中底の親指付け根部からその前方及び小指付け根部からその前方を切除して段落ちさせるとともに、踵部に通孔を形成又は踵部の前側を左右方向に切断して段落ちさせ、前記中底の上側に、緩衝可能な弾力性を有するシート体で形成した内底形中敷を備えたことを特徴とする。
このような構成によれば、中底の親指付け根部からその前方及び小指付け根部からその前方を切除して段落ちさせるとともに、踵部に通孔を形成又は踵部の前側を左右方向に切断して段落ちさせているので、着用者の足の親指付け根及び小指付け根並びに踵が他の部位よりも低くなるため、相対的に低い親指付け根部（第１中足骨部）及び小指付け根部（第５中足骨部）とそれらの間の相対的に高い部分とにより横アーチがサポートされ、相対的に低い親指付け根部（第１中足骨部）及び踵部（踵骨部）とそれらの間の相対的に高い部分とにより内側縦アーチがサポートされ、相対的に低い小指付け根部（第５中足骨部）及び踵部（踵骨部）とそれらの間の相対的に高い部分とにより外側縦アーチがサポートされると共に、靴の内部で足が前後方向及び左右方向へずれ動くことを抑制することができる。
【００１３】
したがって、足裏の大切な３つのアーチをサポートする機能を備えていると共に足の前後方向及び左右方向へのずれが効果的に抑制されることから、前記３つのアーチを安定してサポートすることができる。
よって、アーチを形成する骨格の崩れに起因する障害を予防することができ、特に横アーチをサポートする機能を備えているため、現代人の持病とも言われる外反母趾の原因となる開帳足の進行を防止することができる。
また、中底の上側に、緩衝可能な弾力性を有するシート体で形成した内底形中敷を備えていることから、着用者が足を載せた際に、中底の相対的に低い親指付け根部、小指付け根部及び踵部の角部に足が当たって痛くなることがない。
さらに、内底形中敷が緩衝可能な弾力性を有するシート体で形成されていることから、着用者の体重を足裏全体に分散平均化して足裏全体に添って体重を支えることにより、足裏の痛い部分の凸部に集中して掛かる負担を足裏全体に分散して足痛を解消又は軽減することができる。
【００１４】
さらにまた、踵部（踵骨部）がその周りの部分よりも低く、内底形中敷が緩衝可能な弾力性を有するシート体で形成されているため、踵が痛い着用者が使用した際にその痛みを解消又は軽減することができる。
また、中底の親指付け根部及び小指付け根部並びに踵部を他の部位よりも相対的に低くすることによりアーチサポート機能を持たせているので、靴に挿入して使用する中敷にパッドを突設すること等によりアーチサポート機能を持たせた靴のように足が圧迫されることがないと共に、中底の上側の内底形中敷が緩衝可能な弾力性を有するシート体で形成されているので、足がむくんで大きくなった際にも足が圧迫されにくい。
さらに、横アーチをサポートする機能により魚の目やタコができやすい開帳足の進行が防止され、内底形中敷が緩衝可能な弾力性を有するシート体で形成されているため、魚の目やタコの発生を防止することができる。
【００１５】
ここで、本底の上面に、前記中底及び内底形中敷を収容する収容凹部を形成してなると好ましい。
このような構成によれば、本底の上面に形成された収容凹部内に中底及び内底形中敷が収容されるので、従来の靴と比較して中底及び内底形中敷が相対的に低い位置にあることから、靴のサイズを通常より大きいサイズにすることなく、足のサイズに合わせた通常サイズの靴でもゆとりのある靴が得られる。
よって、足のサイズに合わせた中底により前記３つのアーチをより安定してサポートすることができながら、足が窮屈にならないため、足痛を解消又は軽減することができる。
その上、このように足が窮屈にならずに通気性を確保しやすい構造であると共に、横アーチがサポートされるため歩行の際に踏圧により指が開くため、水虫の治療及び予防に好適である。
【００１６】
また、前記中底の親指付け根部及び小指付け根部と踵部との間の上面に凸部を形成してなると好ましい。
このような構成によれば、着用者の縦アーチが高い場合であっても、前記凸部の高さを調節することにより、適切な縦アーチサポート機能を持たせることができる。
【００１７】
さらに、前記中底が本底から取り外し可能なものであり、これら中底及び本底の間の足の外側部位の下方に補正パッドを挿入してなると好ましい。
このような構成によれば、踵の外側が早く磨り減る良くない歩行姿勢を矯正して健康的な歩行姿勢にすることができる。
【００１８】
さらにまた、着用状況に適合させるように前記内底形中敷の上側に重ねて靴合わせ用の調節を行う、緩衝可能な弾力性を有するシート体で形成した内底形弾性パッドを備えてなると好ましい。
このような構成によれば、通常より大きいサイズの靴又は本底の上面に収容凹部を形成して中底及び内底形中敷を収容した靴により、着用者が靴を履いた状態でゆとりを持たせておき、緩衝可能な弾力性を有するシート体で形成した内底形弾性パッドを挿入して靴合わせを行った状態で使用し、着用状況により靴が緩くなった際には前記弾性パッドを追加することにより靴合わせを容易に行うことができ、着用状況により靴がきつくなった際には前記弾性パッドの単又は複数を取り出すことにより靴合わせを容易に行うことができる。したがって、左右の足の大きさが違う場合等であっても自在に靴合わせを行うことができる。
【００１９】
特に、従来の靴のように親指付け根部と小指付け根部とを締めることなく、本底等の足指の付け根部から前方の部分の横幅を広くした靴にして内底形弾性パッドによる靴合わせを行うことにより、前記中底の形状による靴内での足ずれ防止効果と相俟って、靴による足の圧迫や靴との足の擦れを防止する効果を高めることができる。
このような足を圧迫しないと共に靴との擦れを防止できる効果から、親指若しくは小指の付け根の下側の魚の目が痛くて従来の靴では歩行が困難な人、又は、親指又は小指の横の魚の目と靴との擦り合い又は指の間の魚の目と指との擦り合いにより従来の靴では痛くて歩行が困難な人でも、本発明の足痛解消・軽減・トラブル解消靴を履くことにより痛くなく歩行することができる。
【００２０】
また、ゼリー状薄膜体を上下の伸縮性シート材で挟んでなる内底形シート体を前記内底形弾性パッドの下側に挿入してなると好ましい。
このような構成によれば、伸縮性シート材で挟まれたゼリー状薄膜体が踏圧により潰れてぐにゃぐにゃと変形して上下の伸縮性シート材間で若干のずれが生じて止まり指圧のような感覚が得られて気持よく、さらに緩衝効果が高くなるとともに足痛解消効果が高くなるため、より気持ちがよいスムーズな歩行が可能になる。
【００２１】
さらに、前記内底形中敷又は内底形弾性パッドを、多数の通孔が全面にわたって形成された緩衝可能な弾力性を有して足裏面の接触圧により塑性変形しないシート体と、このシート体の上面を被う伸縮性シート材とにより構成してなると好ましい。
このような構成によれば、シート体の通孔により敏感な足の裏が適度に刺激されるため気持ちよく、長時間使用してもシート体上の伸縮性シート材により足裏が痛くなることがなく、シート体の通孔により、靴の内部で足が前後方向及び左右方向へずれ動くことを抑制することができるとともに通気性が向上する。
【００２２】
さらにまた、足の甲が当たる部分の内側に、内表面に多数の凹部を形成した弾性パッドを取り付けてなると好ましい。
このような構成によれば、弾性パッドに足の甲を圧接した際には弾性パッドが足の甲の形状に合うように変形する共に、弾性パッドの内表面に多数の凹部が形成されていることから、弾性パッドと足の甲が擦れにくいため、靴ずれによる傷が治りにくく、足の知覚障害を起こして感覚が鈍くなり足の傷に気が付かずに足に重大な障害を起こすことがある糖尿病患者に適した靴となる。
その上、着用者の爪先を防護する先芯があるため甲部（アッパー部）が硬い安全靴に本発明の足痛解消・軽減・トラブル解消靴の構成を採用して弾性パッドを備えることにより、安全靴の着用が義務付けられ足痛等を辛抱している作業者に好適な靴となる。
【００２３】
本発明に係る足痛解消・軽減・トラブル解消中敷は、前記課題解決のために、靴に挿入して使用する中敷であって、靴の中底と同等の材料又はゴム材料等の踏圧が掛かっても変形しにくい材料からなる基体の親指付け根部からその前方及び小指付け根部からその前方を切除して段落ちさせるとともに、踵部に通孔を形成又は踵部の前側を左右方向に切断して段落ちさせ、前記基体の上側に、緩衝可能な弾力性を有するシート体で形成した内底形弾性パッドを備えたことを特徴とする。
このような構成によれば、靴に挿入して使用する足痛解消・軽減・トラブル解消中敷の基体が靴の中底と同等の材料又はゴム材料等の踏圧が掛かっても変形しにくい材料からなり、その親指付け根部からその前方及び小指付け根部からその前方を切除して段落ちさせるとともに、踵部に通孔を形成又は踵部の前側を左右方向に切断して段落ちさせているので、着用者の足の親指付け根及び小指付け根並びに踵が他の部位よりも低くなるため、相対的に低い親指付け根部（第１中足骨部）及び小指付け根部（第５中足骨部）とそれらの間の相対的に高い部分とにより横アーチがサポートされ、相対的に低い親指付け根部（第１中足骨部）及び踵部（踵骨部）とそれらの間の相対的に高い部分とにより内側縦アーチがサポートされ、相対的に低い小指付け根部（第５中足骨部）及び踵部（踵骨部）とそれらの間の相対的に高い部分とにより外側縦アーチがサポートされると共に、靴の内部で足が前後方向及び左右方向へずれ動くことを抑制することができる。
【００２４】
したがって、足裏の大切な３つのアーチをサポートする機能を備えていると共に足の前後方向及び左右方向へのずれが効果的に抑制されることから、前記３つのアーチを安定してサポートすることができる。
よって、アーチを形成する骨格の崩れに起因する障害を予防することができ、特に横アーチをサポートする機能を備えているため、現代人の持病とも言われる外反母趾の原因となる開帳足の進行を防止することができる。
また、基体の上側に、緩衝可能な弾力性を有するシート体で形成した内底形弾性パッドを備えていることから、着用者が足を載せた際に、基体の相対的に低い親指付け根部、小指付け根部及び踵部の角部に足が当たって痛くなることがない。
さらに、内底形弾性パッドが緩衝可能な弾力性を有するシート体で形成されていることから、着用者の体重を足裏全体に分散平均化して足裏全体に添って体重を支えることにより、足裏の痛い部分の凸部に集中して掛かる負担を足裏全体に分散して足痛を解消又は軽減することができる。
【００２５】
さらにまた、踵部（踵骨部）がその周りの部分よりも低く、内底形弾性パッドが緩衝可能な弾力性を有するシート体で形成されているため、踵が痛い着用者が使用した際にその痛みを解消又は軽減することができる。
また、基体の親指付け根部及び小指付け根部並びに踵部を他の部位よりも相対的に低くすることによりアーチサポート機能を持たせているので、基体にパッドを突設すること等によりアーチサポート機能を持たせた中敷のように足が圧迫されることがないと共に、基体の上側の内底形弾性パッドが緩衝可能な弾力性を有するシート体で形成されているので、足がむくんで大きくなった際にも足が圧迫されにくい。
さらに、横アーチをサポートする機能により魚の目やタコができやすい開帳足の進行が防止され、内底形弾性パッドが緩衝可能な弾力性を有するシート体で形成されているため、魚の目やタコの発生を防止することができる。
【００２６】
ここで、前記基体の親指付け根部及び小指付け根部と踵部との間の上面に凸部を形成してなると好ましい。
このような構成によれば、着用者の縦アーチが高い場合であっても、前記凸部の高さを調節することにより、適切な縦アーチサポート機能を持たせることができる。
【００２７】
また、前記基体の下側の足の外側部位の下方に補正パッドを備えてなると好ましい。
このような構成によれば、踵の外側が早く磨り減る良くない歩行姿勢を矯正して健康的な歩行姿勢にすることができる。
【００２８】
さらに、着用状況に適合させるように前記内底形弾性パッドの上側に重ねて靴合わせ用の調節を行う、緩衝可能な弾力性を有するシート体で形成した内底形弾性パッドを備えてなると好ましい。
このような構成によれば、足痛解消・軽減・トラブル解消中敷を挿入する靴を、通常より大きいサイズの靴又は本底の上面に収容凹部を形成して中底及び内底形中敷を収容した靴として、着用者が靴を履いた状態でゆとりを持たせておき、緩衝可能な弾力性を有するシート体で形成した内底形弾性パッドを挿入して靴合わせを行った状態で使用し、着用状況により靴が緩くなった際には前記弾性パッドを追加することにより靴合わせを容易に行うことができ、着用状況により靴がきつくなった際には前記弾性パッドの単又は複数を取り出すことにより靴合わせを容易に行うことができる。したがって、左右の足の大きさが違う場合等であっても自在に靴合わせを行うことができる。
【００２９】
さらにまた、ゼリー状薄膜体を上下の伸縮性シート材で挟んでなる内底形シート体を前記内底形弾性パッドの下側に挿入してなると好ましい。
このような構成によれば、伸縮性シート材で挟まれたゼリー状薄膜体が踏圧により潰れてぐにゃぐにゃと変形して上下の伸縮性シート材間で若干のずれが生じて止まり指圧のような感覚が得られて気持よく、さらに緩衝効果が高くなるとともに足痛解消効果が高くなるため、より気持ちがよいスムーズな歩行が可能になる。
【００３０】
また、前記内底形弾性パッド又はその上に重ねて靴合わせ用の調節を行う前記内底形弾性パッドを、多数の通孔が全面にわたって形成された緩衝可能な弾力性を有して足裏面の接触圧により塑性変形しないシート体と、このシート体の上面を被う伸縮性シート材とにより構成してなると好ましい。
このような構成によれば、シート体の通孔により敏感な足の裏が適度に刺激されるため気持ちよく、長時間使用してもシート体上の伸縮性シート材により足裏が痛くなることがなく、シート体の通孔により、靴の内部で足が前後方向及び左右方向へずれ動くことを抑制することができるとともに通気性が向上する。
【発明の効果】
【００３１】
以上のように、本発明に係る足痛解消・軽減・トラブル解消靴及び中敷によれば、（ア）足痛解消・軽減・トラブル解消靴の中底又は靴に挿入して使用する足痛解消・軽減・トラブル解消中敷の基体の親指付け根部及び小指付け根部並びに踵部を他の部位よりも相対的に低くする簡素な構成により、足裏の大切な３つのアーチをサポートする機能及び靴の内部で足がずれ動くことを抑制する機能を持たせることができること、（イ）前記中底又は基体の親指付け根部及び小指付け根部並びに踵部を他の部位よりも相対的に低くすることによりアーチサポート機能を持たせているので、靴に挿入して使用する中敷にパッドを突設すること等によりアーチサポート機能を持たせた靴のように足が圧迫されることがないこと、（ウ）足痛解消・軽減・トラブル解消靴の内底形中敷又は足痛解消・軽減・トラブル解消中敷の内底形弾性パッドが緩衝可能な弾力性を有するシート体で形成されていることから、着用者の体重を足裏全体に分散平均化して足裏全体に添って体重を支えることにより、足裏の痛い部分の凸部に集中して掛かる負担を足裏全体に分散して足痛を解消又は軽減することができること、（エ）中底の上側の内底形中敷又は前記基体の上側の内底形弾性パッドが緩衝可能な弾力性を有するシート体で形成されているので、足がむくんで大きくなった際にも足が圧迫されにくいこと、（オ）前記内底形中敷又は内底形弾性パッドの上側に重ねて使用する、緩衝可能な弾力性を有するシート体で形成した靴合わせ調節用内底形弾性パッドを用いて靴合わせを行うことにより、着用状況により靴が緩くなった際には靴合わせ調節用内底形弾性パッドを追加することにより靴合わせを容易に行うことができ、着用状況により靴がきつくなった際には靴合わせ調節用内底形弾性パッドの単又は複数を取り出すことにより靴合わせを容易に行うことができるため、足を締め付けないようにして歩行時における足の痛みを解消又は軽減することができること、（カ）横アーチにより踏圧で指が開いて自由に動くと共に足が圧迫されないことから、足指や足部が痛くなることがなく、足の血行がいつも良くなり、従来の窮屈な鋳型に足を入れたような靴が原因で生じる足や身体の様々なトラブルがなくなり、気持ちよく靴を履いているだけで知らぬ内に病気の治療や予防をすることができて健康に非常に役立つこと、等の顕著な効果を奏する。
【００３２】
また、本発明に係る足痛解消・軽減・トラブル解消靴において、本底の上面に中底及び内底形中敷を収容する収容凹部を形成することにより、従来の靴と比較して中底及び内底形中敷が相対的に低い位置にあることから、靴のサイズを通常より大きいサイズにすることなく、足のサイズに合わせた通常サイズの靴でもゆとりのある靴が得られるため、足のサイズに合わせた中底により前記３つのアーチをより安定してサポートすることができながら、足が窮屈にならず、よって、足痛を解消又は軽減することができ、特に、従来の靴のように親指付け根部と小指付け根部とを締めることなく、本底等の足指の付け根部から前方の部分の横幅を広くした靴にして前記内底形弾性パッドによる靴合わせを行うことにより、前記中底の形状による靴内での足ずれ防止効果と相俟って、靴による足の圧迫や靴との足の擦れを防止する効果を高めることができるという顕著な効果を奏する。
【図面の簡単な説明】
【００３３】
【図１】本発明の実施の形態に係る足痛解消・軽減・トラブル解消靴を示す斜視図である。
【図２】同じく縦断正面図である。
【図３】中底及び内底形中敷並びに本発明の実施の形態に係る足痛解消・軽減・トラブル解消中敷の基体及び内底形弾性パッドを示す分解斜視図である。
【図４】内底形中敷又は内底形弾性パッド上に足を置いた状態を示す平面図である。
【図５】足痛解消・軽減・トラブル解消靴又は中敷を使用して内底形中敷又は内底形弾性パッドが変形した状態を示す斜視図である。
【図６】内底形中敷の上側に内底形弾性パッドを載せて靴合わせ用の調節を行った足痛解消・軽減・トラブル解消靴の縦断正面図である。
【図７】足痛解消・軽減・トラブル解消靴又は中敷及び内底形弾性パッドを使用して内底形中敷又は内底形弾性パッド及び靴合わせ調節用内底形弾性パッドが変形した状態を示す斜視図である。
【図８】本発明の別の実施の形態に係る足痛解消・軽減・トラブル解消靴を示す縦断正面図である。
【図９】同じく本底、内底、内底形中敷及び内底形弾性パッドを示す分解斜視図である。
【図１０】母趾と第２趾との間にガーゼを挟んで靴を履いた状態示す平面図である。
【図１１】足痛解消・軽減・トラブル解消靴の中底又は足痛解消・軽減・トラブル解消中敷の基体の下側の足の外側部位の下方に備える補正パッドの例を示しており、（ａ）は分解斜視図、（ｂ）は平面図である。
【図１２】中底に活性炭収容部を形成する構成例を示す分解斜視図である。
【図１３】ゼリー状薄膜体を上下の伸縮性シート材で挟んでなる内底形シート体を内底形弾性パッドの下側に挿入する構成例を示しており、（ａ）は分解斜視図、（ｂ）は拡大縦断面図である。
【図１４】多数の通孔が形成された緩衝可能な弾力性を有して足裏面の接触圧により塑性変形しないシート体及び伸縮性シート材からなる内底形中敷又は内底形弾性パッドの構成例を示しており、（ａ）は分解斜視図、（ｂ）は内底形中敷又は内底形弾性パッドの斜視図である。
【図１５】足の甲が当たる部分の内側に取り付ける、内表面に多数の凹部を形成した緩衝可能な弾力性を有する発泡合成樹脂製シート体で形成された弾性パッドの斜視図である。
【図１６】中底及び中敷の基体のバリエーション例を示す斜視図である。
【図１７】中敷の基体のバリエーション例を示す斜視図である。
【発明を実施するための形態】
【００３４】
本明細書においては、靴の爪先側を前、踵側を後とする。また、左右は前方に向かっていうものとし、左方から見た図を正面図とする。
なお、以下において、左足用の足痛解消・軽減・トラブル解消靴及び足痛解消・軽減・トラブル解消中敷を代表させて、これらについて説明するが、右足用の足痛解消・軽減・トラブル解消靴及び足痛解消・軽減・トラブル解消中敷も同様の構成である。
【００３５】
図１及び図２に示すように、本発明の実施の形態に係る足痛解消・軽減・トラブル解消靴１は、足を支える土台部分である底部（ソール部）１Ａ及び足を被う甲部（アッパー部）１Ｂからなり、底部１Ａは、例えば合成ゴム製である本底（表底）２、本底２の上面に貼着等により取り付けられた、例えばパルプボード、レザーボード又は不織ボード製である２〜４ｍｍ程度の厚さの中底３、及び、中底３の上面に貼着等により取り付けられた、例えば緩衝可能な弾力性を有して足裏面の接触圧により塑性変形する発泡合成樹脂製シート体で形成した２〜４ｍｍ程度の厚さの内底形中敷４からなり、甲部１Ｂは、例えば皮革製である甲革９Ａ及び甲革９Ａの裏側の甲裏９Ｂ等からなり、足の甲が当たる部分の甲裏９Ｂの内側（例えば舌革の内面）には、後述する弾性パッド１０が取り付けられる。
【００３６】
ここで、内底形中敷４を形成する緩衝可能な弾力性を有して足裏面の接触圧により塑性変形する発泡合成樹脂製シート体は、体重と足裏の面積によって個人別に想定される踏圧（幼児から大人までの体重１５〜９０ｋｇ程度に対応する踏圧）が繰り返し負荷されて圧縮変形した際に、合成樹脂のクリープ性、応力緩和性（応力の減少）、若しくは疲労現象又はこれらの複合作用によって着用の足指の形状に馴染むように塑性変形するものであり、踏圧によって塑性変形した状態では若干の弾性余効はあるが、外力（踏圧）が繰り返し弾性限界近くまたは弾性限界を越えて負荷されることによって歪みが残り、外力を取り去っても変形が完全に消えない塑性変形の状態になる。
【００３７】
このように塑性変形可能な軟質弾性の発泡合成樹脂の具体例としては、ポリエチレン、ポリ塩化ビニル、ポリウレタンその他の周知の軟質合成樹脂を発泡成形したものが挙げられる。特に高発泡の電子線架橋ポリエチレンフォームは、適度の柔らかい弾性を有しており、着用感が好ましいものである。
なお、内底形中敷４は、緩衝可能な弾力性を有して足裏面の接触圧により塑性変形する発泡合成樹脂製シート体により形成する以外に、緩衝可能な弾力性を有して足裏面の接触圧により塑性変形しないシート体、例えば、天然ゴム発泡体及び合成ゴム発泡体等のゴム系材料からなるシート体、並びに、化学架橋又は物理発泡ポリエチレン樹脂発泡体等の発泡合成樹脂シート体等により形成してもよく、所望の硬さや弾力性に合わせて製作する。
また、このような緩衝可能な弾力性を有するシート体で形成した内底形中敷４は、着用者の体重を足裏全体に分散平均化することができ、足裏全体に添って体重を支えることにより足裏の痛い部分の凸部に集中して掛かる負担を足裏全体に均等に分散することができるため、足痛を解消又は軽減することができる。
なお、内底形中敷４は、前記シート体の上下面に吸水性不織布やニットなどの編織布を重ねて、汗などを吸収する吸湿性を持たせたものであってもよく、吸水性不織布の材料として天然パルプを用いることにより、耐久性があって履き心地が長期間良好なものとなり、しかも充分な吸湿性があるので、油分の分泌が多い着用者でも長期間快適に使用することができる。
【００３８】
図３に示すように、中底３は、その親指付け根部（第１中足骨部）５からその前方及び小指付け根部（第５中足骨部）６からその前方を切除して段落ちさせていると共に、その踵部（踵骨部）７に前部が方形（矩形）状で後部が半円形状の通孔を形成しており、中底３は、上述のとおりパルプボード、レザーボード又は不織ボード等により形成されていることから、踏圧が掛かっても変形しにくいため、図４に示すように内底形中敷４に足を載せると、図５に示すように親指付け根部５から前方へ延びる窪みＡ、小指付け根６から前方へ延びる窪みＢ及び踵部７の窪みＣが形成される。
なお、小指付け根部（第５中足骨部）６に加えて薬指付け根部（第４中足骨部）も切除して段落ちさせてもよい。
また、図４に示す中底３（内底形中敷４）の長軸に沿う線Ｌに対して、指の付け根部（中足骨部）から前方に延びる部分を約５ｍｍ程度小指側にシフトさせ、親指付け根部５側の段落ち部（図５の窪みＡ）の幅を、小指付け根部６側の段落ち部（図５の窪みＢ）の幅よりも広くすることにより、親指の付け根に力が入りやすくなるため、Ｏ脚や膝痛に対する効果がある。
【００３９】
このように着用者の足の親指付け根及び小指付け根並びに踵が他の部位よりも低くなることから、相対的に低い親指付け根部（第１中足骨部）５及び小指付け根部（第５中足骨部）６とそれらの間の相対的に高い部分とにより横アーチがサポートされ、相対的に低い親指付け根部（第１中足骨部）５及び踵部（踵骨部）７とそれらの間の相対的に高い部分とにより内側縦アーチがサポートされ、相対的に低い小指付け根部６（第５中足骨部）及び踵部（踵骨部）７とそれらの間の相対的に高い部分とにより外側縦アーチがサポートされると共に、靴１の内部で足が前後方向及び左右方向へずれ動くことを抑制することができる。
したがって、足裏の大切な３つのアーチをサポートする機能を備えていると共に足の前後方向及び左右方向へのずれが効果的に抑制されることから、前記３つのアーチを安定してサポートすることができる。
よって、アーチを形成する骨格の崩れに起因する障害を予防することができ、特に横アーチをサポートする機能を備えているため、現代人の持病とも言われる外反母趾の原因となる開帳足の進行を防止することができる。
【００４０】
また、中底３の上側に、緩衝可能な弾力性を有するシート体で形成した内底形中敷４を備えていることから、着用者が足を載せた際に、中底３の前記段落ち部及び通孔の角部に足が当たって痛くなることがない。
さらに、内底形中敷４が緩衝可能な弾力性を有するシート体で形成されていることから、着用者の体重を足裏全体に分散平均化して足裏全体に添って体重を支えることにより、足裏の痛い部分の凸部に集中して掛かる負担を足裏全体に分散して足痛を解消又は軽減することができる。
さらにまた、踵部（踵骨部）７がその周りの部分よりも低く、内底形中敷４が緩衝可能な弾力性を有するシート体で形成されているため、踵が痛い着用者が使用した際にその痛みを解消又は軽減することができる。
【００４１】
また、中底３の親指付け根部５及び小指付け根部６を段落ちさせると共に、その踵部７に通孔を形成することによりアーチサポート機能を持たせているので、靴に挿入して使用する中敷にパッドを突設すること等によりアーチサポート機能を持たせた靴のように足が圧迫されることがないと共に、中底３の上側の内底形中敷４が緩衝可能な弾力性を有するシート体で形成されているので、足がむくんで大きくなった際にも足が圧迫されにくい。
さらに、横アーチをサポートする機能により魚の目やタコができやすい開帳足の進行が防止され、内底形中敷４が緩衝可能な弾力性を有するシート体で形成されているため、魚の目やタコの発生を防止することができる。
【００４２】
以上のような図１及び図２の構造の靴１を着用者が履いた状態で、図１に示す靴紐を調整することによりある程度の靴合わせが可能であるが、図６及び図７に示すように、緩衝可能な弾力性を有するシート体（特に、緩衝可能な弾力性を有して足裏面の接触圧により塑性変形する発泡合成樹脂製シート体が好ましい。）で形成した内底形弾性パッド８を内底形中敷４の上側に重ねることにより、着用状況に適合させるような靴合わせ用の調節をきめ細かく行うことができる。
なお、図６及び図７には１枚の内底形弾性パッド８により靴合わせ用の調節を行った場合を示しているが、２枚以上の内底形弾性パッド８を重ねて靴合わせ用の調節を行ってもよいのは勿論である。
例えば、靴１のサイズを通常より大きいサイズとして着用者が靴１を履いた状態でゆとりを持たせておき、内底形弾性パッド８の単又は複数を挿入して靴合わせを行った状態で使用し、着用状況により靴１が緩くなった際には内底形弾性パッド８を追加することにより靴合わせを容易に行うことができ、着用状況により靴１がきつくなった際には内底形弾性パッド８の単又は複数を取り出すことにより靴合わせを容易に行うことができる。したがって、左右の足の大きさが違う場合等であっても自在に靴合わせを行うことができる。
【００４３】
ここで、内底形弾性パッド８は、前記発泡合成樹脂製シート体の上下面に吸水性不織布やニットなどの編織布を重ねて、汗などを吸収する吸湿性を持たせたものであってもよく、吸水性不織布の材料として天然パルプを用いることにより、耐久性があって履き心地が長期間良好なものとなり、しかも充分な吸湿性があるので、油分の分泌が多い着用者でも長期間快適に使用することができる。
以上のような足痛解消に適した靴１を着用者が履いた際に、この着用者が怪我等が重症で尚痛みが残る場合には、痛い箇所が当たる部分の内底形弾性パッド８や内底形中敷４に穴を明けて空間を形成することにより、足が靴に接触することにより生じる痛みを無くすことができる。
【００４４】
さらにまた、図８及び図９に示すように、本底２の上面に、中底３及び内底形中敷４を収容する収容凹部Ｄを形成しておくことにより、本底２の収容凹部Ｄ内に中底３及び内底形中敷４が収容されるので、従来の靴と比較して中底３及び内底形中敷４が相対的に低い位置にあることから、靴１のサイズを通常より大きいサイズにすることなく、足のサイズに合わせた通常サイズでもゆとりのある靴１が得られる。
よって、足のサイズに合わせた中底３により足裏の大切な３つのアーチをより安定してサポートすることができながら、足が窮屈にならないため、足痛を解消又は軽減することができる。
【００４５】
その上、このように足が窮屈にならずに通気性を確保しやすい構造であると共に、横アーチがサポートされるため歩行の際に踏圧により指が開くため、水虫の治療及び予防に好適である。
また、このような本底２の上面に収容凹部Ｄを形成して中底３及び内底形中敷４を収容した靴１により、着用者が靴１を履いた状態でゆとりを持たせておき、緩衝可能な弾力性を有するシート体で形成した内底形弾性パッド８の単又は複数（図８では２枚）を挿入して靴合わせを行った状態で使用し、着用状況により靴１が緩くなった際には内底形弾性パッド８を追加することにより靴合わせを容易に行うことができ、着用状況により靴１がきつくなった際には内底形弾性パッド８の単又は複数を取り出すことにより靴合わせを容易に行うことができる。したがって、左右の足の大きさが違う場合等であっても自在に靴合わせを行うことができる。
【００４６】
特に、従来の靴のように親指付け根部と小指付け根部とを締めることなく、本底等の足指の付け根部から前方の部分の横幅を広くした靴にして内底形弾性パッド８による靴合わせを行うことにより、中底３の形状による靴内での足ずれ防止効果と相俟って、靴による足の圧迫や靴との足の擦れを防止する効果を高めることができるという顕著な効果を奏する。
このような足を圧迫しないと共に靴との擦れを防止できる効果から、親指若しくは小指の付け根の下側の魚の目が痛くて従来の靴では歩行が困難な人、又は、親指又は小指の横の魚の目と靴との擦り合い又は指の間の魚の目と指との擦り合いにより従来の靴では痛くて歩行が困難な人でも、本発明の足痛解消・軽減・トラブル解消靴１を履くことにより痛くなく歩行することができる。
また、中底３及び内底形中敷４が相対的に低い位置にあり、高さ方向の余裕が大きいことから、医師の診断により数値化された中敷（足底板）の厚さが、従来の靴では対応ができない例えば１５ｍｍ程度と厚い場合であっても、その厚さに合わせた所要枚数の弾性パッド８を挿入して使用することができるため、医師の指示通りの治療・保護が可能になる。
【００４７】
さらに、靴のサイズは０．５ｃｍ刻みであると共に従来の靴は親指付け根部と小指付け根部とを締めるように作られているのに対し、本発明の足痛解消・軽減・トラブル解消靴１は、足を締め付けることなく上述のような靴合わせのための調節を適切に行うことができ、内底形弾性パッド８が緩衝可能な弾力性を有して足裏面の接触圧により塑性変形する発泡合成樹脂製シート体で形成されている場合には、内底形弾性パッド８は踏圧により塑性変形している。
したがって、足形は千差万別であり無数に存在すると共に足の大きさも変化し、足の痛さは他人にはわからないものであるが、踏圧により塑性変形した内底形弾性パッド８を取り出して見れば着用者の足の状態を把握することができるため、口頭のみでの臨床試験が可能になる。
【００４８】
さらにまた、自分の母趾（親指、第１趾）が少し外反していると気付いた際に、なるべく早く母趾（親指、第１趾）と第２趾との間にガーゼ等を挟んで母趾をできるだけ広げることにより外反母趾を有効に治療できることが知られているが、母趾と第２趾との間にガーゼ等を挟んだ状態で通常の靴を履くと足が圧迫されて痛みが発生したり、大きい靴を履くとゆとりがあり過ぎて歩行しにくくなるため、靴を履いた状態で痛みが発生せずに気持ちよく治療に専念でき、スムーズに歩行できる靴は皆無であった。
これに対して本発明の足痛解消・軽減・トラブル解消靴１は、ゆとりがあり足が窮屈にならないとともに靴合わせを容易に行うことができることから、図１０に示すように母趾と第２趾との間にガーゼ２１等を挟んだ状態で靴１を履いても痛みが発生せずに気持ちよく治療に専念でき、スムーズに歩行できるため、足の病気で一番多いと言われている外反母趾治療靴としても好適である。
【００４９】
また、図２、図６又は図８の靴１において、中底３を本底２から取り外し可能なものとして、図１１に示すように、中底３及び本底２の間の足の外側部位（例えば、立方骨、第４中足骨及び指骨並びに第５中足骨及び指骨）の下方に、約１ｍｍ程度の厚さの、中底３と同等の材料又はゴム材料等の踏圧が掛かっても変形しにくい材料により形成された補正パッド１５の単又は複数を挿入することにより、後述する踵の外側が早く磨り減る良くない歩行姿勢を矯正して健康的な歩行姿勢にすることができる。
すなわち、踵の外側が早く磨り減る良くない歩行姿勢は、（１）早く疲れること、（２）踵の外側が磨り減った靴を長く履き続けていると膝や腰が痛くなったり障害が生じること、（３）Ｏ脚になる恐れがあること、等の問題があり、このような歩行姿勢を矯正するために、指回りを広くした靴作りにするとともに、図１１の補正パッド１５の単又は複数を挿入して高さ調整を行った靴１を着用して足の内側に少し力を入れた状態で歩行することで、自然と踵の外側が磨り減らない健康的な歩行姿勢となる。
ここで、補正パッド１５は、中底３の下面に貼着してもよいし、本底２の上面に貼着してもよい。
【００５０】
さらに、図１２に示すように、中底３の適宜箇所に設けた活性炭収容部である長穴１６内に活性炭を収容しておき、中底３上方の内底形中敷４に通孔１７，１７，…をあけておくことにより、活性炭のガス吸着作用により靴１内の悪臭を脱臭することができるため、靴１内を爽快に保つことができる。
さらにまた、図６及び図８の内底形弾性パッド８の上下面に重ねる不織布や編織布に備長炭を練り込んだりセラミックを配合することにより、これらの遠赤外線効果により保温力を高めることができる。
【００５１】
また、図１３（ｂ）に示す、水溶性高分子、保湿剤及び水よりなるシップ基剤等からなる０．２〜０．５ｍｍ程度の厚さのゼリー状薄膜体２０を上下の伸縮性シート材である例えば伸縮性不織布１９，１９で挟んでなる内底形シート体１８を、図１３（ａ）に示すように上下の内底形弾性パッド８，８の間又は上下の内底形弾性パッド８及び内底形中敷４の間に挿入して例えば貼着しておくことにより、このような靴を履くと、伸縮性不織布１９，１９で挟まれたゼリー状薄膜体２０が踏圧により潰れてぐにゃぐにゃと変形して上下の伸縮性不織布１９，１９間で若干のずれが生じて止まり指圧のような感覚が得られて気持よく、さらに緩衝効果が高くなるとともに足痛解消効果が高くなるため、より気持ちがよいスムーズな歩行が可能になる。
【００５２】
さらに、図１４（ａ）に示すように、直径５〜１０ｍｍ程度の多数の通孔２３，２３，…が全面にわたって形成された緩衝可能な弾力性を有して足裏面の接触圧により塑性変形しないシート体２２を上下の伸縮性シート材である例えば伸縮性不織布１９，１９で挟んでなる図１４（ｂ）のような内底形中敷４又は内底形弾性パッド８を用いることにより、シート体２２の通孔２３，２３，…により敏感な足の裏が適度に刺激されるため気持ちよく、長時間使用してもシート体２２上面に貼着された伸縮性シート材１９により足裏が痛くなることがなく、通孔２３，２３，…により、靴の内部で足が前後方向及び左右方向へずれ動くことを抑制することができるとともに通気性が向上する。
なお、伸縮性不織布１９により前記シート体２２の下面を被わずに、伸縮性不織布１９により前記シート２２の上面のみを被うようにしてもよい。
【００５３】
さらにまた、図２に示す靴１の足の甲が当たる部分の甲裏９Ｂの内側（例えば舌革の内面）に取り付けられる弾性パッド１０は、内底形中敷４と同様の、緩衝可能な弾力性を有して接触圧により塑性変形する発泡合成樹脂製シート体、又は、緩衝可能な弾力性を有して接触圧により塑性変形しないシート体であり、その内表面には、図１５に示すように多数の凹部（窪み）１１，１１，…が形成されている。
このような構成によれば、弾性パッド１０に足の甲を圧接した際には弾性パッド１０が足の甲の形状に合うように変形すると共に、弾性パッド１０の内表面に多数の凹部１１，１１，…が形成されていることから、弾性パッド１０と足の甲が擦れにくいため、靴１は、靴ずれによる傷が治りにくく、足の知覚障害を起こして感覚が鈍くなり足の傷に気が付かずに足に重大な障害を起こすことがある糖尿病患者に適した靴となる。また、靴の継ぎ目の内面に弾性パッド１０を取り付けることにより、継ぎ目が無い靴に近づくため、糖尿病患者用の靴として、より好ましいものになる。
その上、着用者の爪先を防護する先芯があるため甲部（アッパー部）が硬い安全靴に本発明の足痛解消・軽減・トラブル解消靴１の構成を採用して弾性パッド１０を備えることにより、安全靴の着用が義務付けられ足痛等を辛抱している作業者に好適な靴となる。
【００５４】
以上の説明においては、中底３の親指付け根部５及び小指付け根部６を段落ちさせると共に中底３の踵部７に通孔を形成することにより、着用者の足の親指付け根及び小指付け根並びに踵部を他の部位よりも低くする足痛解消・軽減・トラブル解消靴１を示したが、通常の靴に挿入して使用する足痛解消・軽減・トラブル解消中敷１２により同様の作用をさせるようにしてもよい。
例えば、図３〜図５及び図７において、中底３を靴に挿入して使用する中敷１２の基体１３とし、この基体１３の上面に緩衝可能な弾力性を有するシート体で形成した内底形弾性パッド１４を貼着等により取り付ければよい。
なお、基体１３は、靴の中底と同等の材料又はゴム材料等の踏圧が掛かっても変形しにくい材料により形成することができる。
また、図１１において、中底３を靴に挿入して使用する中敷１２の基体１３とし、基体１３の下側の足の外側部位に補正パッド１５の単又は複数を備えることにより、踵の外側が早く磨り減る良くない歩行姿勢を矯正して健康的な歩行姿勢にすることができる。
ここで、補正パッド１５は、基体１３の下面に貼着してもよいし、中底の上面に貼着してもよい。
【００５５】
このような構成によれば、靴に挿入して使用する中敷１２の基体１３が靴の中底と同等の材料又はゴム材料等の踏圧が掛かっても変形しにくい材料からなり、基体１３の親指付け根部５及び小指付け根部６を切除して段落ちさせていると共に、基体１３の踵部７に通孔を形成していることから、着用者の足の親指付け根及び小指付け根並びに踵が他の部位よりも低くなるため、相対的に低い親指付け根部（第１中足骨部）及び小指付け根部（第５中足骨部）とそれらの間の相対的に高い部分とにより横アーチがサポートされ、相対的に低い親指付け根部（第１中足骨部）及び踵部（踵骨部）とそれらの間の相対的に高い部分とにより内側縦アーチがサポートされ、相対的に低い小指付け根部（第５中足骨部）及び踵部（踵骨部）とそれらの間の相対的に高い部分とにより外側縦アーチがサポートされると共に、靴の内部で足が前後方向及び左右方向へずれ動くことを抑制することができる。
したがって、足裏の大切な３つのアーチをサポートする機能を備えていると共に足の前後方向及び左右方向へのずれが効果的に抑制されることから、前記３つのアーチを安定してサポートすることができる。
よって、アーチを形成する骨格の崩れに起因する障害を予防することができ、特に横アーチをサポートする機能を備えているため、現代人の持病とも言われる外反母趾の原因となる開帳足の進行を防止することができる。
【００５６】
また、基体１３の上側に、緩衝可能な弾力性を有するシート体で形成した内底形弾性パッド１４を備えていることから、着用者が足を載せた際に、基体１３の前記段落ち部及び通孔の角部に足が当たって痛くなることがない。
さらに、内底形弾性パッド１４が緩衝可能な弾力性を有するシート体で形成されていることから、着用者の体重を足裏全体に分散平均化して足裏全体に添って体重を支えることにより、足裏の痛い部分の凸部に集中して掛かる負担を足裏全体に分散して足痛を解消又は軽減することができる。
さらにまた、踵部（踵骨部）７がその周りの部分よりも低く、内底形弾性パッド１４が緩衝可能な弾力性を有するシート体で形成されているため、踵が痛い着用者が使用した際にその痛みを解消又は軽減することができる。
【００５７】
また、基体１３の親指付け根部５及び小指付け根部６を段落ちさせると共に、その踵部７に通孔を形成することによりアーチサポート機能を持たせているので、基体にパッドを突設すること等によりアーチサポート機能を持たせた中敷のように足が圧迫されることがないと共に、基体１３の上側の内底形弾性パッド１４が緩衝可能な弾力性を有するシート体で形成されているので、足がむくんで大きくなった際にも足が圧迫されにくい。
さらに、横アーチをサポートする機能により魚の目やタコができやすい開帳足の進行が防止され、内底形弾性パッド１４が緩衝可能な弾力性を有するシート体で形成されているため、魚の目やタコの発生を防止することができる。
【００５８】
さらにまた、図７に示すように、着用状況に適合させるように内底形弾性パッド１４の上側に重ねて靴合わせ用の調節を行う、緩衝可能な弾力性を有するシート体（特に、緩衝可能な弾力性を有して足裏面の接触圧により塑性変形する発泡合成樹脂製シート体が好ましい。）で形成した内底形弾性パッド８を単又は複数備えるようにすることにより、中敷１２を挿入する靴を、通常より大きいサイズの靴又は図８のような本底２の上面に収容凹部Ｄを形成して中底３及び内底形中敷４を収容した靴として、着用者が靴を履いた状態でゆとりを持たせておき、緩衝可能な弾力性を有するシート体で形成した内底形弾性パッド８の単又は複数を挿入して靴合わせを行った状態で使用し、着用状況により靴が緩くなった際には弾性パッド８を追加することにより靴合わせを容易に行うことができ、着用状況により靴がきつくなった際には弾性パッド８の単又は複数を取り出すことにより靴合わせを容易に行うことができる。したがって、左右の足の大きさが違う場合であっても自在に靴合わせを行うことができる。
【００５９】
また、図１３において、内底形中敷４を靴に挿入して使用する中敷１２の内底形弾性パッド１４とし、図１３（ｂ）に示す、水溶性高分子、保湿剤及び水よりなるシップ基剤等からなる０．２〜０．５ｍｍ程度の厚さのゼリー状薄膜体２０を上下の伸縮性シート材である例えば伸縮性不織布１９，１９で挟んでなる内底形シート体１８を、図１３（ａ）に示すように上下の内底形弾性パッド８，８の間又は上下の内底形弾性パッド８及び内底形弾性パッド１４の間に挿入して例えば貼着しておくことにより、このような中敷を挿入した靴を履くと、伸縮性不織布１９，１９で挟まれたゼリー状薄膜体２０が踏圧により潰れてぐにゃぐにゃと変形して上下の伸縮性不織布１９，１９間で若干のずれが生じて止まり指圧のような感覚が得られて気持よく、さらに緩衝効果が高くなるとともに足痛解消効果が高くなるため、より気持ちがよいスムーズな歩行が可能になる。
【００６０】
さらに、図１４（ａ）に示すように、直径５〜１０ｍｍ程度の多数の通孔２３，２３，…が全面にわたって形成された緩衝可能な弾力性を有して足裏面の接触圧により塑性変形しないシート体２２を上下の伸縮性シート材である例えば伸縮性不織布１９，１９で挟んでなる図１４（ｂ）のような内底形弾性パッド１４又は内底形弾性パッド８を用いることにより、シート体２２の通孔２３，２３，…により敏感な足の裏が適度に刺激されるため気持ちよく、長時間使用してもシート体２２上面に貼着された伸縮性シート材１９により足裏が痛くなることがなく、通孔２３，２３，…により、靴の内部で足が前後方向及び左右方向へずれ動くことを抑制することができるとともに通気性が向上する。
なお、伸縮性不織布１９により前記シート２２の下面を被わずに、伸縮性不織布１９により前記シート２２の上面のみを被うようにしてもよい。
【００６１】
以上の説明における靴１の中底３又は中敷１２の基体１３の親指付け根部５及び小指付け根部６と踵部７との間の上面に、図１６に示すような例えば約２ｍｍ程度の高さの凸部Ｅを形成してもよい。
このような構成によれば、着用者の縦アーチが高い場合であっても、凸部Ｅの高さを調節することにより、適切な縦アーチサポート機能を持たせることができる。
また、中底３又は基体１３の踵部（踵骨部）７を円形の通孔としてもよい。
【００６２】
さらに、中敷１２では、その基体１３の形状を、図１７に示すように、踵部（踵骨部）７の前側を左右方向に切断して踵部７を段落ちさせてもよい。
【００６３】
以上のような靴１及び中敷１２は、横アーチにより踏圧で指が開いて自由に動くと共に足が圧迫されないことから、足指や足部が痛くなることがなく、足の血行がいつも良くなり、従来の窮屈な鋳型に足を入れたような靴が原因で生じる足や身体の様々なトラブルがなくなり、気持ちよく靴を履いているだけで知らぬ内に病気の治療や予防をすることができて健康に非常に役立つものとなる。
また、足の痛みを解消又は軽減することができ、外反母趾や扁平足等の障害を予防することができると共に、靴合わせの調節を容易に行うことができるため、子供用の靴又は靴に挿入して使用する中敷にも適している。
すなわち、足の骨格が崩れて成長の過程で一旦変形してしまうと、この変形を正常な状態に戻すのは至難の業であるため、子供用の靴又は靴に挿入して使用する中敷として本発明に係る足痛解消・軽減・トラブル解消靴１又は足痛解消・軽減・トラブル解消中敷１２を用いて子供の足に適合するように靴合わせをすることにより、子供の骨格が固まるまでの障害の予防や障害の治療を効果的に行うことができる。
さらに、足を締め付けずにゆとりを持たせることができると共に、痛い部分の凸部に集中して掛かる負担を分散して足痛を解消又は軽減することができるため、足指の付け根の関節が腫れた関節リウマチ患者や、症状が進行して外反母趾や内反小趾等の変形が加わった関節リウマチ患者用の靴又は靴に挿入して使用する中敷にも適している。
さらにまた、制靴（学校等の指定靴や企業等の指定安全靴）は、個人の足の形や状態に合わせた選択の余地がなく、制靴を強制的に履かせられることによる足の痛みや障害が多数報告されており、このような制靴によるトラブルを解消することができる中敷は皆無であったのに対し、制靴を着用者が履いた状態でゆとりを持たせておき、足痛解消・軽減中敷１２を用いて内底形弾性パッド８，８，…により靴合わせを行うことにより、制靴であっても靴が原因で生じる足や身体の様々なトラブルを解消することができる。
なお、本発明に係る「足痛解消・軽減・トラブル解消靴」は、整形靴及び一般靴を含み、上履き、つっかけ等、本発明の趣旨を阻害しない範囲の全ての履物を含むものである。
【符号の説明】
【００６４】
Ａ，Ｂ，Ｃ  窪み                        Ｄ  収容凹部
Ｅ  凸部                                Ｌ  長軸に沿う線
１  足痛解消・軽減・トラブル解消靴      １Ａ  底部（ソール部）
１Ｂ  甲部（アッパー部）                ２  本底（表底）
３  中底                                ４  内底形中敷
５  親指付け根部                        ６  小指付け根部
７  踵部                                ８  内底形弾性パッド
９Ａ  甲革                              ９Ｂ  甲裏
１０  弾性パッド                        １１  凹部
１２  足痛解消・軽減・トラブル解消中敷  １３  基体
１４  内底形弾性パッド                  １５  補正パッド
１６  長孔（活性炭収容部）              １７  通孔
１８  内底形シート体                    １９  伸縮性不織布（伸縮性シート材）
２０  ゼリー状薄膜体                    ２１  ガーゼ
２２  緩衝可能な弾力性を有して足裏面の接触圧により塑性変形しないシート体
２３  通孔
【図１】
0005187918.tif 000002
【図２】
0005187918.tif 000003
【図３】
0005187918.tif 000004
【図４】
0005187918.tif 000005
【図５】
0005187918.tif 000006
【図６】
0005187918.tif 000007
【図７】
0005187918.tif 000008
【図８】
0005187918.tif 000009
【図９】
0005187918.tif 000010
【図１０】
0005187918.tif 000011
【図１１】
0005187918.tif 000012
【図１２】
0005187918.tif 000013
【図１３】
0005187918.tif 000014
【図１４】
0005187918.tif 000015
【図１５】
0005187918.tif 000016
【図１６】
0005187918.tif 000017
【図１７】
0005187918.tif 000018